(57)【要約】  複数のレーザービームのための、レーザーパワーを調整する方法であって、データの書込みのため、異なるセグメント始点において、各レーザービームの書込みを、順次、オン状態に切り替える工程７１０と、別のレーザービームにより先行して書き込まれたセグメントのセグメント始点に到達した各レーザービームの書込みを、順次、オフ状態に切り替える工程７２０と、書込みを続けている１つのみのレーザービームを検出する工程７３０と、その１つのみのレーザービームのレーザーパワーを較正する工程７３２と、その１つのみのレーザービームの書込みを、オフ状態に切り替える工程７５０と、すべてのレーザービームをシフトする工程７６０とを含む方法。
2009531800.tif 000002
【特許請求の範囲】
【請求項１】
各々のセグメント始点により特定される複数のセグメントを含む光ディスク上に、複数のレーザービームによりデータを書き込んでいる間に、レーザーパワーを調整する方法であって、
−  データの書込みのため、異なるセグメント始点において、各レーザービームの書込みを、順次、オン状態に切り替える工程と、
−  別のレーザービームにより先行して書込みがなされたセグメントのセグメント始点に到達した各レーザービームの書込みを、順次、オフ状態に切り替える工程と、
−  １つのみのレーザービームが書込みを続けている状態である際に、該状態を検出する工程と、
−  前記１つのみのレーザービームのレーザーパワーを較正する工程と、
−  前記１つのみのレーザービームの書込みを、オフ状態に切り替える工程と、
−  すべてのレーザービームをシフトする工程とを含むことを特徴とする方法。
【請求項２】
各レーザービームの書込みがオン状態に切り替えられている間において、順次、オン状態に切り替えられた第１のレーザービームを検出し、該第１のレーザービームのレーザーパワーを較正する工程をさらに含むことを特徴とする請求項１記載の方法。
【請求項３】
前記較正する工程が、
−  前記１つのみのレーザービームおよび前記第１のレーザービームの、電流をモニタリングする工程と、
−  前記１つのみのレーザービームおよび前記第１のレーザービームの被モニタリング電流を、電圧に変換する工程と、
−  前記１つのみのレーザービームおよび前記第１のレーザービームにつき、適応パワーを生成する工程とを含んでいることを特徴とする請求項２記載の方法。
【請求項４】
前記セグメント始点が、前記光ディスクのプリグルーブ情報、または前記光ディスク上に書き込まれているデータ情報から検出されることを特徴とする請求項１記載の方法。
【請求項５】
各々のセグメント始点により特定される複数のセグメントを含む光ディスク上に、複数のレーザービームによりデータを書き込んでいる間に、レーザーパワーを調整する方法であって、
−  データの書込みのため、異なるセグメント始点において、各レーザービームの書込みを、順次、オン状態に切り替える工程と、
−  各レーザービームの書込みがオン状態に切り替えられている間において、順次、オン状態に切り替えられた第１のレーザービームを検出し、該第１のレーザービームのレーザーパワーを較正する工程と、
−  別のレーザービームにより先行して書込みがなされたセグメントのセグメント始点に到達した各レーザービームの書込みを、順次、オフ状態に切り替える工程と、
−  書込みを続けている１つのみのレーザービームを検出する工程と、
−  前記１つのみのレーザービームの書込みを、オフ状態に切り替える工程と、
−  すべてのレーザービームをシフトする工程とを含むことを特徴とする方法。
【請求項６】
前記１つのみのレーザービームのレーザーパワーを較正する工程を、さらに含むことを特徴とする請求項５記載の方法。
【請求項７】
前記較正する工程が、
−  前記１つのみのレーザービームおよび前記第１のレーザービームの、電流をモニタリングする工程と、
−  前記１つのみのレーザービームおよび前記第１のレーザービームの被モニタリング電流を、電圧に変換する工程と、
−  前記１つのみのレーザービームおよび前記第１のレーザービームにつき、適応パワーを生成する工程とを含んでいることを特徴とする請求項６記載の方法。
【請求項８】
前記セグメント始点が、前記光ディスクのプリグルーブ情報、または前記光ディスク上に書き込まれているデータ情報から検出されることを特徴とする請求項５記載の方法。
【請求項９】
各々のセグメント始点により特定される複数のセグメントを含む光ディスク上に、複数のレーザービームによりデータを書き込んでいる間に、レーザーパワーを調整する装置であって、
−  データの書込みのため、異なるセグメント始点に到達した各レーザービームの書込みを、順次、オン状態に切り替える制御手段と、
−  別のレーザービームにより先行して書込みがなされたセグメントのセグメント始点に到達した各レーザービームの書込みを、順次、オフ状態に切り替える制御手段と、
−  書込みを続けている１つのみのレーザービームを検出する検出手段と、
−  前記１つのみのレーザービームのレーザーパワーを較正する較正手段と、
−  前記１つのみのレーザービームの書込みを、オフ状態に切り替える制御手段と、
−  すべてのレーザービームをシフトする制御手段とを含むことを特徴とする装置。
【請求項１０】
前記検出手段が、書込みのためにオン状態に切り替えられた第１のレーザービームを検出するために用いられ、
前記較正手段が、各レーザービームの書込みが順次オン状態に切り替えられている間において、前記第１のレーザービームのレーザーパワーを較正するために用いられることを特徴とする請求項９記載の装置。
【請求項１１】
前記較正手段が、
−  前記１つのみのレーザービームおよび前記第１のレーザービームの、電流をモニタリングする手段と、
−  前記１つのみのレーザービームおよび前記第１のレーザービームの被モニタリング電流を、電圧に変換する手段と、
−  前記１つのみのレーザービームおよび前記第１のレーザービームにつき、適応パワーを生成する手段とを含んでいることを特徴とする請求項１０記載の装置。
【請求項１２】
各々のセグメント始点により特定される複数のセグメントを含む光ディスク上に、複数のレーザービームによりデータを書き込んでいる間に、レーザーパワーを調整する装置であって、
−  データの書込みのため、異なるセグメント始点に到達した各レーザービームの書込みを、順次、オン状態に切り替える制御手段と、
−  書込みのためにオン状態に切り替えられた第１のレーザービームを検出するための検出手段、および各レーザービームの書込みが順次オン状態に切り替えられている間において、前記第１のレーザービームのレーザーパワーを較正する較正手段と、
−  別のレーザービームにより先行して書込みがなされたセグメントのセグメント始点に到達した各レーザービームの書込みを、順次、オフ状態に切り替える制御手段と、
−  書込みを続けている１つのみのレーザービームを検出する検出手段と、
−  前記１つのみのレーザービームの書込みを、オフ状態に切り替える制御手段と、
−  すべてのレーザービームをシフトする制御手段とを含むことを特徴とする装置。
【請求項１３】
前記較正手段を用いて、前記１つのみのレーザービームのレーザーパワーが較正されることを特徴とする請求項１２記載の装置。
【請求項１４】
前記較正手段が、
−  前記１つのみのレーザービームおよび前記第１のレーザービームの、電流をモニタリングする手段と、
−  前記１つのみのレーザービームおよび前記第１のレーザービームの被モニタリング電流を、電圧に変換する手段と、
−  前記１つのみのレーザービームおよび前記第１のレーザービームにつき、適応パワーを生成する手段とを含んでいることを特徴とする請求項１３記載の装置。
【請求項１５】
請求項９または１２記載の装置を含むことを特徴とする、光ディスクに記録を行うレコーダー。
【発明の詳細な説明】
【技術分野】
【０００１】
本発明は、複数のレーザービームのための、レーザーパワーを調整する方法および装置に関するものである。
【背景技術】
【０００２】
近年、ビデオ／オーディオデータは急速にデジタル化されている。特に、ビデオ信号は、デジタル化されると非常に大量のデータを産出する。そのため、ＶＣＤ（ビデオコンパクトディスク）プレーヤーや、ＤＶＤ（デジタル・バーサタイル・ディスク）プレーヤーや、ＢＤ（ブルーレイディスク）プレーヤーといったような、ビデオ信号用の光ディスクプレーヤーには特に、大きな容量を有することができること、および高いデータ転送レートを有することが要求される。光ディスクプレーヤーにつき、大きなデータ容量と、高いデータ転送レートとを実現するための様々な試みがなされてきた。そのような方法によれば、入力データシーケンスが、複数のヘッドにそれぞれ供給される複数の部分に分割され、それにより、高い転送レートを実現するために、ディスク上の複数のトラック内における信号の並行書込み／再生がもたらされる。この方法は、各ヘッドの転送レートを増大させることなく、複数のトラックにより実行される全体的な転送レートを増大させることを可能とする。
【０００３】
上記の方法は、ヘッドの数が増えるにつれて、複雑な制御およびコストの増大という問題を生じさせる。そのため、複数のトラックに同時に信号を書き込むために、複数のヘッドに代えて、複数のレーザーダイオードが設けられたマルチビーム半導体を採用することが考えられる。マルチビーム半導体は、複数のレーザーダイオードと、１つの光検出器とを有する。そのようなマルチビーム半導体を採用することにより、少ない数のヘッドにもかかわらず、高い転送レートで信号を書き込むことが可能となる。
【０００４】
レーザーのパワーは、レーザーダイオードを流れる電流と関連付けられる。より高い電流は、より高いレーザーパワーを導入する。しかしながら、レーザーパワーと電流との関係は、温度による影響を受ける。すなわち、たとえダイオードを流れる電流が固定されていても、温度の変動に伴い、レーザーパワーは変化する。そこで、レーザー発生素子により発せられるレーザーパワーをモニタリングするため、マルチビーム半導体に設けられている光検出器が用いられる。具体的には、レーザーダイオードのうちの１つが書込みのためあるトラック上にレーザービームを照射しているときには、そのレーザービームの一部が、そのレーザーダイオードの近くに配置されている光検出器も照射する。光検出器は、このレーザービームの一部を受光し、そのレーザーダイオードにより発せられたレーザービームのパワーに比例する被モニタリング電流を出力する。したがって、被モニタリング電流を被モニタリング電圧に変換し、被モニタリング電圧をレーザーダイオードの駆動回路にフィードバックすることにより、レーザーダイオードにより出力されるレーザービームのパワーを、一定のレベルに調整することが可能となる。
【０００５】
多くのマルチビーム半導体は、複数のレーザーダイオードに対して、１つのみの光検出器を有している（複数の光検出器は高価であり、かつ非常に高精度の機械的調整を必要とする）。その結果、光検出器は、複数のレーザーダイオードにより出力される複数のレーザービームに応答して、１つのみの被モニタリング電流を出力することしかできない。この構成のマルチビーム半導体では、光検出器は、１つのレーザービームのレーザーパワーを、別のレーザービームのレーザーパワーと区別することができない。このことは、複数のレーザービームのうちの２つ以上のレーザービームについて、同時にパワー調整を行うことを不可能とする。換言すると、パワー調整を行うときは、パワー調整に供されているレーザーダイオードを除くすべてのレーザーダイオードは、オフ状態、すなわちレーザービームを発しない状態になくてはならない。
【発明の開示】
【発明が解決しようとする課題】
【０００６】
しかしながら、レーザーパワーの調整のため上記した方法を実施することは、光ディスクの書込スペースを無駄にしてしまうかもしれない。なぜならば、同時書込みを行わずに、「オン」状態となっている１つのレーザービームを除くすべてのレーザービームが「オフ」状態となっているときにも、光ディスクは依然として回転しており、いくらかのスペースに書込みが行えないという事態を引き起こすためである。
【０００７】
本発明の１つの目的は、複数のレーザービームのための、改善されたレーザーパワーの調整方法を提供することである。
【課題を解決するための手段】
【０００８】
本発明に係る方法は、各々のセグメント始点により特定される複数のセグメントを含む光ディスク上に、複数のレーザービームによりデータを書き込んでいる間に、レーザーパワーを調整することを意図している。この方法は、
−  データの書込みのため、異なるセグメント始点において、各レーザービームの書込みを、順次、オン状態に切り替える工程と、
−  別のレーザービームにより先行して書込みがなされたセグメントのセグメント始点に到達した各レーザービームの書込みを、順次、オフ状態に切り替える工程と、
−  １つのみのレーザービームが書込みを続けている状態である際に、該状態を検出する工程と、
−  その１つのみのレーザービームのレーザーパワーを較正する工程と、
−  その１つのみのレーザービームの書込みを、オフ状態に切り替える工程と、
−  すべてのレーザービームをシフトする工程とを含む。
【０００９】
本発明はまた、上記の本発明に係る方法の種々の工程を実施する処理手段を含む、装置も提案する。
【００１０】
この方法および装置では、シフト後のレーザービームが、セグメントの始点から書込みを開始し、１つのセグメント全体を一度に書き込むような書込みを行うので有利である。この形態では、ウォブル波長のオーダーの精度で十分であるので、従来技術と比べて、要求される精度が低い。その結果、データの重複やデータの損失を生じさせることなく、複数のレーザービームにより一連のデータシーケンスを書き込むことが可能となる。さらに、１つのみのレーザービームのレーザーパワーの較正によって、光ディスクの書込スペースが無駄になることが起こり得ない。なぜならば、１つのみのレーザービームのパワーが較正されている際にオフ状態に切り替えられているレーザービームは、セグメント始点がやってくるまで待機していなくてはならないので、オフ状態に切り替えられていなくてはならないものだからである。どのレーザービームが残された１つのみのレーザービームとなるかについては不定であるので、各回のシフト後において、複数のレーザービームのうちのいずれの１つもが、１つのみのレーザービームとして動作する機会を有し得る。
【００１１】
本発明は、各々のセグメント始点により特定される複数のセグメントを含む光ディスク上に、複数のレーザービームによりデータを書き込んでいる間に、レーザーパワーを調整する別の改善された方法も提供する。この方法は、
−  データの書込みのため、異なるセグメント始点において、各レーザービームの書込みを、順次、オン状態に切り替える工程と、
−  各レーザービームの書込みがオン状態に切り替えられている間において、順次、オン状態に切り替えられた第１のレーザービームを検出し、その第１のレーザービームのレーザーパワーを較正する工程と、
−  別のレーザービームにより先行して書込みがなされたセグメントのセグメント始点に到達した各レーザービームの書込みを、順次、オフ状態に切り替える工程と、
−  書込みを続けている１つのみのレーザービームを検出する工程と、
−  その１つのみのレーザービームの書込みを、オフ状態に切り替える工程と、
−  すべてのレーザービームをシフトする工程とを含む。
【００１２】
本発明はまた、上記の本発明に係る方法の種々の工程を実施する処理手段を含む、装置も提案する。
【００１３】
第１のレーザービームのレーザーパワーの較正によって、光書込スペースが無駄になることは起こり得ない。なぜならば、第１のレーザービームのレーザーパワーが較正されている際にオフ状態に切り替えられているレーザービームは、新たなセグメント始点を待たなくてはならないので、オフ状態に切り替えられていなくてはならないものだからである。どのレーザービームが第１のレーザービームとなるかは不定であるので、各回のシフト後において、複数のレーザービームのうちのいずれの１つもが、書込みを行う第１のレーザービームとして動作する機会を有し得る。
【発明を実施するための最良の形態】
【００１４】
本発明に係る、複数のレーザービームのためのレーザーパワーを調整する方法および装置の、上記およびその他の特徴は、以下で図面を参照しながら述べられる本発明の実装態様および実施形態に関連して説明され、それらより明らかとなるであろう。全図面を通じて、類似の部分を指すために、同一の参照番号が用いられている。
【００１５】
理解を容易にするため、まず、２つのレーザービームを用いた例を通じて本発明を説明し、次に、複数のレーザービームへと一般化する。
【００１６】
書込プロセス中において、光ディスクとレーザービームとは、相対的な回転挙動を有する。光ディスクは、データを記憶するよう意図された複数のセグメントを有し、それらセグメントは、その光ディスク上の螺旋トラックに沿って規定されている。各セグメントは、光ディスク上の構造によって検出される、セグメント始点によって特定される。
【００１７】
以下の説明において、最も内側のレーザービームとは、ディスク上の他のレーザースポット接地位置と比較して、最も小さな半径位置を有するレーザースポット接地位置を意味する。一方、最も外側のレーザービームとは、ディスク上の他のレーザースポット接地位置と比較して、最も大きな半径位置を有するレーザースポット接地位置を意味する。
【００１８】
また、以下の説明において、複数のレーザービームは、光ディスクと同一の相対角度変化を有する。
【００１９】
さらに、以下の説明において、レーザービームが「オフ状態に切り替えられている」とは、書込処理が「オフ」とされている状態、すなわち書込処理がアクティブでない状態を指し、たとえば、レーザービームが光ディスク上に適用されていない状態や、レーザービームが読出モードで光ディスク上に適用されている状態を指す。レーザービームが「オン状態に切り替えられている」とは、書込処理が「オン」とされている状態、すなわち書込処理がアクティブとされている状態を指し、具体的には、レーザービームが書込モードにある状態を指す。
【００２０】
図１から６は、本発明に従う方法の工程によって得られる種々の一連の状態を、一例として、データを並行書込みするように光ディスクに適用される２つのレーザービームＡおよびＢを使用する例を通じて、図解した図である。
【００２１】
この例では、最も内側のレーザービームはレーザービームＡであり、最も外側のレーザービームはレーザービームＢである。この例では、内側トラックから外側トラックに向かって書込みが行われることが前提とされているが、外側トラックから内側トラックに向かって書込みが行われる場合でも類似の説明が当てはまることは、当業者には明らかであろう。
【００２２】
書込プロセスの開始時に相当する図１では、レーザービームＡの初期位置が、セグメント１の始点に配されており、レーザービームＢの初期位置が、セグメント４内のある場所に配されている。セグメント１の始点に配されているレーザービームＡは、このセグメント１の始点よりオン状態に切り替えられる。セグメント４内に配されており、セグメント始点に配されていないレーザービームＢは、このレーザービームＢが図２に示すように後続の始点（この例ではセグメント５の始点）に到達するまで、オフ状態とされる。
【００２３】
図２は、レーザービームＢが、セグメント５の始点に到達した状態を示している。こんどはレーザービームＢはセグメント始点に配されているので、セグメント５の始点からオン状態に切り替えられる。レーザービームＡは、依然としてオン状態とされている。
【００２４】
図３は、レーザービームＡが、セグメント５の始点、すなわち別のレーザービーム（具体的にはレーザービームＢ）によって先行して書込みがなされたセグメントの始点に、到達した状態を示している。レーザービームＢが先行して書き込んだデータを上書きすることを避けるため、レーザービームＡはオフ状態に切り替えられる。レーザービームＢが、この例におけるセグメント１３の始点（あるいはセグメント１４以降の始点）のような後続のセグメント始点に到達するまでの間、レーザービームＢは、オン状態に切り替えられている唯一のレーザービームとなる。
【００２５】
図４は、レーザービームＢが、後続のセグメント始点（この例ではセグメント１３の始点）に到達したため、オフ状態に切り替えられた状態を示している。レーザービームＡおよびＢが両方ともオフ状態となっているため、レーザービームＡおよびＢが同時にシフトされ、レーザービームＡ（すなわち最も内側のビーム）が、上記の後続のセグメント１３の始点、すなわちレーザービームＢがオフ状態に切り替えられたセグメント始点に配される。
【００２６】
図５は、レーザービームＡおよびＢのシフト直後における、レーザービームＡがセグメント１３の始点に到達する前の中間状態を示している。実際には、光ディスクは回転しており、上記のシフトは瞬時では行われないため、レーザービームＡは、セグメント１３の始点より前に位置するセグメント内に到達する。この例では、レーザービームＡはセグメント１２内に到達し、レーザービームＢはセグメント２３内に到達している。
【００２７】
レーザービームＡは、記憶されているセグメント１３の始点に到達したときに、オン状態に切り替えられる。
【００２８】
レーザービームＢもまた、セグメント始点に到達したときに、オン状態に切り替えられる。すなわち、
−  レーザービームＢがセグメント２４の始点でオン状態に切り替えられている図６Ａが示すように、レーザービームＡがオン状態に切り替えられるよりも早く、レーザービームＢがオン状態に切り替えられる、または、
−  レーザービームＢが次のセグメント２５の始点でオン状態に切り替えられている図６Ｂが示すように、レーザービームＡがオン状態に切り替えられた後に、レーザービームＢがオン状態に切り替えられる。
【００２９】
以降の処理は、図２を参照して説明したのと類似の処理である。
【００３０】
図７は、複数のレーザービームのための、本発明に従うレーザーパワー調整方法のフローチャートを示している。この方法では、光ディスクの内側トラックから外側トラックに沿って配された複数のレーザービームにより光ディスクへのデータ書込みが行われている間に、レーザーパワーが調整され、光ディスクは、各々のセグメント始点により特定される複数のセグメントを含んでいる。この方法は、以下の各工程を含んでいる。
−  データ書込みのため、異なるセグメント始点において、各レーザービームの書込みを、順次、オン状態に切り替える工程（７１０）。この切替えは、光ディスクのプリグルーブ情報、または予め光ディスク上に書き込まれたデータ情報から検出された、セグメント始点に基づいて行われ得る。セグメント始点の検出自体は知られているので、ここではさらなる説明は行わない。
−  各レーザービームの書込みがオン状態に切り替えられている間において、順次、オン状態に切り替えられた第１のレーザービームを検出し（７１２）、その第１のレーザービームのレーザーパワーを較正する工程（７１４）。
−  別のレーザービームにより先行して書込みがなされたセグメントのセグメント始点に到達した各レーザービームの書込みを、順次、オフ状態に切り替える工程（７２０）。この工程は、レーザービームがオン状態に切り替えられた際に、それらレーザービームによる先行セグメント始点を記憶しておくことを暗に意味する。
−  書込みを続けている１つのみのレーザービームを検出する工程（７３０）。１つより多くのレーザービームが書込みオン状態のままである限りは、処理は工程７２０へと戻る。
−  上記の１つのみのレーザービームのレーザーパワーを較正する工程（７３２）。
−  書込みが内側トラックから外側トラックへと行われている場合には、最も外側のレーザービームによりアクセスされた後続のセグメント始点を、書込みが外側トラックから内側トラックへと行われている場合には、最も内側のレーザービームによりアクセスされた後続のセグメント始点を、取得する工程（７４０）。
−  上記の１つのみのレーザービームの書込みを、オフ状態に切り替える工程（７５０）。
−  記録が内側トラックから外側トラックに向かって行われている場合には、最も内側のレーザービームが上記の後続のセグメント始点に配され、記録が外側トラックから内側トラックに向かって行われている場合には、最も外側のレーザービームが上記の後続のセグメント始点に配されるように、すべてのレーザービームをシフトする工程（７６０）。このシフトは、すべてのレーザービームを同時に変位させることを意味し、たとえば光ディスクの半径方向に沿った並進移動によって変位が行われる。
【００３１】
追加の判定工程７７０においては、工程７１０へと処理が戻るか、あるいはこの追加判定工程における条件が満足された場合（たとえば書き込むべきデータがもうない場合）には、処理が停止する。
【００３２】
較正する工程（７１４、７３２）は、従来型の単レーザービームのパワー調整システムにより実施されてもよい。この較正する工程（７１４、７３２）は、以下の各工程を含んでいてもよい。
−  上記の１つのみのレーザービームおよび第１のレーザービームの、電流をモニタリングする工程。
−  上記の１つのみのレーザービームおよび第１のレーザービームの被モニタリング電流を、電圧に変換する工程。
−  上記の１つのみのレーザービームおよび第１のレーザービームにつき、適応パワーを生成する工程。
【００３３】
図８は、上記で説明した本発明に係る方法を、実施する装置を示している。この装置では、光ディスクの内側トラックから外側トラックに沿って配された複数のレーザービームにより光ディスクへのデータ書込みが行われている間に、レーザーパワーが調整され、光ディスクは、各々のセグメント始点により特定される複数のセグメントを含んでいる。この装置は、以下の各手段を含んでいる。
−  データ書込みのため、異なるセグメント始点において、各レーザービームの書込みを、順次、オン状態に切り替える制御手段（８１０）。セグメント始点は、たとえば、光ディスクのプリグルーブ情報、または光ディスク上に書き込まれているデータ情報から、検出器を介して検出され得る。プリグルーブ情報、または光ディスク上に書き込まれているデータ情報を介した、セグメント始点の検出自体は知られているので、ここではさらなる説明は行わない。所与のレーザービームがオン状態に切り替えられると、それに対応するセグメント始点が、メモリ内に記憶される。
−  書込みのためにオン状態に切り替えられた第１のレーザービームを検出する検出手段（８２０）、および、各レーザービームの書込みが順次オン状態に切り替えられている間において、第１のレーザービームのレーザーパワーを較正する較正手段（８３０）。
−  別のレーザービームにより先行して書込みがなされたセグメントのセグメント始点に到達した各レーザービームの書込みを、順次、オフ状態に切り替える制御手段（８１０）。セグメント始点は、検出器を介して検出される。この状態変更は、以前に記憶されたセグメント始点と、現在のセグメント始点との、比較器を介した比較に基づいて行われてもよい。
−  書込みを続けている１つのみのレーザービームを検出する検出手段（８２０）。
−  上記の１つのみのレーザービームのレーザーパワーを較正する較正手段（８３０）。
−  書込みが内側トラックから外側トラックへと行われている場合には、最も外側のレーザービームによりアクセスされた後続のセグメント始点を、書込みが外側トラックから内側トラックへと行われている場合には、最も内側のレーザービームによりアクセスされた後続のセグメント始点を、取得する制御手段（８１０）。
−  上記の１つのみのレーザービームの書込みを、オフ状態に切り替える制御手段（８１０）。
−  記録が内側トラックから外側トラックに向かって行われている場合には、最も内側のレーザービームが上記の後続のセグメント始点に配され、記録が外側トラックから内側トラックに向かって行われている場合には、最も外側のレーザービームが上記の後続のセグメント始点に配されるように、すべてのレーザービームをシフトする制御手段（８１０）。このシフトは、すべてのレーザービームを同時に変位させることを意味し、たとえば光ディスクの半径方向に沿った並進移動によって変位が行われる。
【００３４】
較正手段（８３０）は、光検出器と、レーザーダイオードの駆動回路とを含んでいてもよい。その場合、
−  光検出器を用いて、上記の１つのみのレーザービームおよび第１のレーザービームの、電流がモニタリングされ、
−  光検出器を用いて、被モニタリング電流が電圧に変換され、
−  レーザーダイオードの駆動回路を用いて、上記の１つのみのレーザービームおよび第１のレーザービームにつき、適応パワーが生成される。
【００３５】
この装置はさらに、書込みが内側トラックから外側トラックに向かって行われている場合には、最も内側のレーザービームが上記の後続のセグメント始点に配されるように、すべてのレーザービームを同時にシフトし、書込みが外側トラックから内側トラックに向かって行われている場合には、最も外側のレーザービームが上記の後続のセグメント始点に配されるように、すべてのレーザービームをシフトする手段も含んでいる。
【００３６】
このシフトは、すべてのレーザービームを同時に変位させることを意味し、たとえば、光ディスクの半径方向に沿った並進移動によって変位が行われる。このシフトは、たとえば、制御手段８１０の制御下において、半径方向に沿ったレーザービームの変位を通常担っているのと類似のアクチュエーション手段（図示せず）によって行われてもよい。
【００３７】
この装置は、光ディスク用のレコーダー（たとえばコンピュータ用ディスクドライブ、スタンドアロン型の装置等々）内に、有利に組み込まれてもよい。
【００３８】
上記に述べた実施形態は、本発明を制限するものではなく説明のためのものであり、当業者においては、特許請求の範囲による本発明の範囲から逸脱することなく、変更実施形態を設計することができるであろう点に留意されたい。特許請求の範囲においては、括弧内のいずれの参照符号も、特許請求の範囲を限定するものと解釈されるべきではない。「含む」または「備える」との語は、請求項中に列挙されたもの以外の要素または工程の存在を排除するものではない。ある要素の前に置かれた「１つの」との語は、そのような要素が複数存在することを排除するものではない。本発明は、いくつかの別個の要素を備えたハードウェアにより実装されてもよいし、適切にプログラミングされたコンピュータにより実装されてもよい。いくつかの手段を列挙したユニットの請求項では、それらの手段のうちのいくつかが、１つの同一のハードウェア要素によって実現されてもよい。「第１の」、「第２の」および「第３の」等の語の使用は、何らかの順序付けを示すものではない。これらの語は、呼称として解釈されるべきである。
【図面の簡単な説明】
【００３９】
【図１】本発明に従う方法の工程によって得られる種々の一連の状態のうちの１つを、一例として示した図
【図２】本発明に従う方法の工程によって得られる種々の一連の状態のうちの１つを、一例として示した図
【図３】本発明に従う方法の工程によって得られる種々の一連の状態のうちの１つを、一例として示した図
【図４】本発明に従う方法の工程によって得られる種々の一連の状態のうちの１つを、一例として示した図
【図５】本発明に従う方法の工程によって得られる種々の一連の状態のうちの１つを、一例として示した図
【図６Ａ】本発明に従う方法の工程によって得られる種々の一連の状態のうちの１つを、一例として示した図
【図６Ｂ】本発明に従う方法の工程によって得られる種々の一連の状態のうちの１つを、一例として示した図
【図７】本発明に従う、複数のレーザービームのためのレーザーパワー調整方法のフローチャート
【図８】上記の本発明に従う方法を実施するための装置を示した図
【図１】
2009531800.tif 000003
【図２】
2009531800.tif 000004
【図３】
2009531800.tif 000005
【図４】
2009531800.tif 000006
【図５】
2009531800.tif 000007
【図６Ａ】
2009531800.tif 000008
【図６Ｂ】
2009531800.tif 000009
【図７】
2009531800.tif 000010
【図８】
2009531800.tif 000011
【国際調査報告】
2009531800.tif 000012
2009531800.tif 000013